(57)【要約】【課題】【解決手段】公衆無線ローカルエリアネットワーク（１０）を確立するためのシステムは、公的な交換電話網（ＰＳＴＮ）（１４）、デジタル加入者回線アクセス・マルチプレクサ（１６）及び少なくとも１つの公衆電話（１８）を有する。前記デジタル加入者回線アクセス・マルチプレクサ（１６）及び前記少なくとも１つの公衆電話（１８）は、前記公衆交換電話網（１４）と通信する。無線ローカルエリアネットワーク・ハブ（２２）は、前記公衆電話（１８）と前記デジタル加入者回線アクセス・マルチプレクサ（１６）と通信し、少なくとも１つの無線通信装置（１２）とのデジタル加入者回線接続を確立するようになっている。【選択図】図１
2005500765.tif 000002
【特許請求の範囲】
【請求項１】
複数の無線通信装置のための公衆無線ローカルエリアネットワークを確立するシステムであって、
公衆交換電話網と、
前記公衆交換電話網と通信するデジタル加入者回線アクセス・マルチプレクサと、
前記公衆交換電話網と通信する少なくとも１つの公衆電話と、
前記公衆電話及び前記デジタル加入者回線アクセス・マルチプレクサと通信する無線ローカルエリアネットワーク・ハブであって、前記無線通信装置とのデジタル加入者回線接続を確立するようになっている、前記無線ローカルエリアネットワーク・ハブと
を有するシステム。
【請求項２】
請求項１のシステムは、
前記デジタル加入者回線アクセス・マルチプレクサと通信するブロードバンド遠隔アクセス・サービスを有する。
【請求項３】
請求項２のシステムであって、前記ブロードバンド遠隔アクセス・サービスは前記無線通信装置とインターネット・サービス・プロバイダ間の接続を提供するものである。
【請求項４】
請求項２のシステムであって、前記ブロードバンド遠隔アクセス・サービスは前記無線通信装置とプライベートネットワーク間の接続を提供するものである。
【請求項５】
請求項１のシステムであって、前記少なくとも１つの公衆電話は１ペアの銅線を介して前記公衆交換電話網と通信するものである。
【請求項６】
請求項１のシステムであって、前記無線ローカルエリアネットワーク・ハブはＩＥＥＥ規格８０２．１１ｂに従って作動するものである。
【請求項７】
請求項１のシステムであって、前記無線ローカルエリアネットワーク・ハブはＩＥＥＥ規格８０２．１１ａに従って作動するものである。
【請求項８】
請求項１のシステムであって、前記無線ローカルエリアネットワーク・ハブはＩＥＥＥ規格８０２．１１ｇに従って作動するものである。
【請求項９】
請求項１のシステムであって、前記少なくとも１つの公衆電話はブースに位置している。
【請求項１０】
複数の無線通信装置のための公衆無線ローカルエリアネットワークを確立するシステムであって、
公衆交換電話網と、
前記公衆交換電話網と通信するデジタル加入者回線アクセス・マルチプレクサと、
前記公衆交換電話網と通信する少なくとも１つの公衆電話と、
ＩＥＥＥ規格８０２．１１ｂに従って作動する無線ローカルエリアネットワーク・ハブであって、前記公衆電話及び前記デジタル加入者回線アクセス・マルチプレクサと通信し、前記無線通信装置とのデジタル加入者回線接続を確立するようになっている、前記無線ローカルエリアネットワーク・ハブと
を有するシステム。
【請求項１１】
請求項１０のシステムは、
前記デジタル加入者回線アクセス・マルチプレクサと通信するブロードバンド遠隔アクセス・サービスを有する。
【請求項１２】
請求項１１のシステムであって、前記ブロードバンド遠隔アクセス・サービスは前記無線通信装置とインターネット・サービス・プロバイダ間の接続を提供するものである。
【請求項１３】
請求項１１のシステムであって、前記ブロードバンド遠隔アクセス・サービスは前記無線通信装置とプライベートネットワーク間の接続を提供するものである。
【請求項１４】
請求項１０のシステムであって、前記少なくとも１つの公衆電話は１ペアの銅線を介して前記公衆交換電話網と通信するものである。
【請求項１５】
請求項１０のシステムであって、前記少なくとも１つの公衆電話はブースに位置している。
【請求項１６】
複数の無線通信装置のための公衆無線ローカルエリアネットワークを確立するシステムであって、
公衆交換電話網と、
前記公衆交換電話網と通信するデジタル加入者回線アクセス・マルチプレクサと、
前記公衆交換電話網と通信する少なくとも１つの公衆電話と、
ＩＥＥＥ規格８０２．１１ｂに従って作動する無線ローカルエリアネットワーク・ハブであって、前記公衆電話及び前記デジタル加入者回線アクセス・マルチプレクサと通信し、前記無線通信装置とのデジタル加入者回線接続を確立するようになっている、前記無線ローカルエリアネットワーク・ハブと、
前記デジタル加入者回線アクセス・マルチプレクサと通信するブロードバンド遠隔アクセス・サービスと
を有するシステム。
【請求項１７】
請求項１６のシステムであって、前記ブロードバンド遠隔アクセス・サービスは前記無線通信装置とインターネット・サービス・プロバイダ間の接続を提供するものである。
【請求項１８】
請求項１６のシステムであって、前記ブロードバンド遠隔アクセス・サービスは前記無線通信装置とプライベートネットワーク間の接続を提供するものである。
【請求項１９】
請求項１６のシステムであって、前記少なくとも１つの公衆電話は１ペアの銅線を介して前記公衆交換電話網と通信するものである。
【請求項２０】
請求項１６のシステムであって、前記少なくとも１つの公衆電話はブースに位置している。
【発明の詳細な説明】
【技術分野】
【０００１】
本発明は、無線ローカルエリアネットワークに関するものであり、より具体的には公衆無線ローカルエリアネットワークに関するものである。
【背景技術】
【０００２】
ローカルエリアネットワーク（ＬＡＮ）は周知である。手ごろな無線通信の出現と共に、無線ＬＡＮを開発するために、様々なアレンジメントが提案されている。米国特許出願第５，６５７，３７５号明細書には、例えば、携帯型受話器端末と通信し、交換回線網に接続可能である基地局を有する無線デジタルパーソナル通信システムが開示されている。米国特許出願第６，０７５，７８４号明細書においては、複数の音声又はデータ装置をデジタル加入者回線（ＤＳＬ）或いは無線ローカルループを介してローカル・パケット網にインターフェース接続する遠隔デジタル端末が開示されている。ホストデジタル端末が前記公衆交換電話網の間で音声通話の通信を調整する。
【０００３】
同様に、米国特許出願第６，２２３，０５４号明細書において、前記公衆交換電話網に接続可能なＬＡＮを使用した新興住宅地或いは商業用地への無線ＬＡＮが提案されている。米国特許出願第５，４６３，６２３号明細書には、ＰＢＸスイッチシステム又は前記公衆網の中であればどの位置でも無線ＩＳＤＮデジタル端末を他のあらゆるＩＳＤＮ装置に相互接続できるようにした技術が開示されている。
【発明の開示】
【発明が解決しようとする課題】
【０００４】
本発明は、複数の無線通信装置のための公衆無線ローカルエリアネットワークを確立するシステムである。前記システムは、公的な交換電話網、デジタル加入者回線アクセス・マルチプレクサ及び少なくとも１つの公衆電話を有する。前記デジタル加入者回線アクセス・マルチプレクサ及び前記少なくとも１つの公衆電話は、前記公衆交換電話網と通信する。無線ローカルエリアネットワーク・ハブは、前記公衆電話及び前記デジタル加入者回線アクセス・マルチプレクサと通信し、前記無線通信装置とのデジタル加入者回線接続を確立するようになっている。
【０００５】
従って、本発明の目的は、上記に記載されている種類のシステムを提供することであり、そのシステムはブロードバンド無線ローカルエリアネットワーク・サービスを公共施設の場所に提供するものである。
【０００６】
本発明のもう１つの目的は、上記に記載されている種類のシステムを提供することにあり、そのシステムは削減された費用でブロードバンド無線ローカルエリアネットワーク・サービスを提供するものである。
【０００７】
更に別の本発明の目的は、上記に記載されている種類のシステムを提供することにあり、そのシステムはユーザーにネットワーク接続の選択肢を提案するブロードバンド無線ローカルエリアネットワーク・サービスを提供するものである。
【０００８】
本発明の上記及び他の目的、特徴及び効果は、添付の図面を併用する場合に下記の本発明を実施する最良の形態の詳細な説明から直ちに明らかである。
【発明を実施するための最良の形態】
【０００９】
図１は、複数の無線通信装置１２（例えば携帯用コンピュータ又は携帯情報端末）のための公衆無線ローカルエリアネットワークを確立するシステム１０を示している。前記システム１０は公衆交換電話網（ＰＳＴＮ）１４、デジタル加入者回線アクセス・マルチプレクサ（ＤＳＬＡＭ）１６、及び少なくとも１つの公衆電話１８を有する。
【００１０】
好適な実施例において、前記公衆電話１８は標準の硬貨投入式の電話であり、一般にホテル、空港、ガソリンスタンド、レストラン、ショッピングセンター及び公共施設のその他の場所に位置している。周知のように、前記公衆電話１８はまた電話ボックスの内部に位置していてもよい。前記公衆電話１８は、１ペアの標準銅線２０或いはその他のものを介して前記公衆交換電話網１４と通信している。前記線２０は、線２４に沿った低周波トラフィックと線２６に沿った高周波トラフィックに分割される。前記低周波トラフィック２４は通常音声トラフィックであり、前記高周波トラフィック２６は通常ＤＳＬデータトラフィックである。
【００１１】
前記高周波トラフィック２６は、ＤＳＬを介して非同期転送法（ＡＴＭ）又はインターネット・プロトコル（ＩＰ）によってＤＳＬＡＭ１６まで届けられる。前記ＤＳＬＡＭ１６は、順に、ブロードバンド遠隔アクセス・サービス（ＢＲＡＳ）ゲートウェイ２８と通信する。前記ＢＲＡＳゲートウェイ２８は、複数のインターネット・サービス・プロバイダ（ＩＳＰ）３０、３２、及び３４の中で前記ＤＳＬＡＭ１６からのトラフィックの選択を提供するものである。もちろん当然のことながら、利用可能なＩＳＰの１つは企業内イントラネットのようなプライベートネットワークであってもよい。
【００１２】
前記公衆電話１８は、無線ローカルエリアネットワーク（ＬＡＮ）ハブ２２を備えている。前記無線ＬＡＮハブ２２は、前記公衆電話１８との直接接続の状態に置かれていても良く、又は、例えば電話ブースが利用可能な時にこの電話ブース内のよりアクセスしにくい場所などの、電話からより離れている場所に置かれていても良い。好適な実施例において、前記無線ＬＡＮハブ２２は、ＩＥＥＥ規格８０２．１１ｂ（最高１１Ｍｂｐｓ）、ＩＥＥＥ８０２．１１ａ（最高５４Ｍｂｐｓ）又はＩＥＥＥ８０２．１１ｇ（最高２０Ｍｂｐｓ）に従って作動する。前記無線ＬＡＮハブ２２は、前記無線通信装置１２とのデジタル加入者回線接続を確立するようになっている。ＩＥＥＥ８０２．１１ｂ無線ＬＡＮインターフェースを搭載した前記無線通信装置１２のユーザーは、通常約３００フィートである半径内で前記無線ＬＡＮハブ２２と通信することができる。一旦加入者のコンピュータ１２がネットワークに接続されると、前記ＢＲＡＳゲートウェイ２８はユーザーの申し込みに基づき、ユーザーに利用可能なＩＳＰやネットワークを示す。
【００１３】
それらのネットワーク接続がなされると、加入者はＤＳＬで利用可能な比較的高い接続速度で彼ら自身のコンピュータで自由に作業をすることができる。終了したならば前記加入者は単に接続の終了を要求し、そして前記システム１０は要求されたとおりに各接続を切断する。
【００１４】
従って、本発明は公共施設の場所にブロードバンド無線ローカルエリアネットワーク・サービスを提供するものである。本発明が既存の公衆電話に前記無線ＬＡＮハブを近接して配置するので、その費用は新規のホスト装置を建設する際に発生し得るものよりも安価である。更に本発明は回線共有ＤＳＬを前記ブロードバンド接続として使用するものであり、従って代替的なブロードバンドサービスに必要とされる追加のペア線及び／又は追加のネットワーク装置が不要になる。
【００１５】
本発明の特定の実施例が示され説明されてきたが、当業者にとって、この開示された発明は様々な方法で修正されることが可能であり、上記に具体的に示され説明されたもの以外の多くの実施例があることは明らかである。従って、本発明の範囲は添付の請求の範囲に示され、その意味するところ及びそれと同等の範囲内に入る全ての変更は受け入れられることを目的とする。
【図面の簡単な説明】
【００１６】
【図１】図１は、公衆無線ローカルエリアネットワークを確立するための本発明に関するシステムの概略図である。
【図１】
2005500765.tif 000003
【国際公開パンフレット】
2005500765.tif 000004
2005500765.tif 000005
2005500765.tif 000006
2005500765.tif 000007
2005500765.tif 000008
2005500765.tif 000009
2005500765.tif 000010
2005500765.tif 000011
2005500765.tif 000012
2005500765.tif 000013
2005500765.tif 000014
【国際調査報告】
2005500765.tif 000015
2005500765.tif 000016